(57)【特許請求の範囲】
【請求項１】
筐体と、
前記筐体の内部に、互いに平行に、かつ互いに一部が重なり合って格納される第１及び第２の基板と、を備える携帯端末であって、
前記筐体は、
前記第１の基板と前記第２の基板とが重なる重なり部分において、前記第１の基板の一辺側を貫通し、かつ前記第２の基板を貫通する共通の貫通部材と、
前記第１の基板の一辺とは反対側にある他辺側を貫通する第２の貫通部材と、
前記共通の貫通部材または第２の貫通部材の周囲に配置される前記第１の基板の第１面の当接部と、
前記第１面の当接部とは前記第１の基板を挟んで反対側に配置される前記第１の基板の第２面の当接部と、を備え、
前記第１の基板は、
前記共通の貫通部材が貫通し、前記共通の貫通部材の位置が前記第１の基板の面と平行方向において固定される第１の共通貫通部と、
前記第１の基板の面と平行な方向における前記共通の貫通部材との間の距離が変化可能に、前記第２の貫通部材が貫通する第２の貫通部と、
を備え、
前記第２の基板は、
前記共通の貫通部材が貫通し、前記共通の貫通部材の位置が前記第２の基板の面と平行方向に移動可能に設けられた第２の共通貫通部
を備えたことを特徴とする携帯端末。
【請求項２】
前記第２の貫通部は、前記共通の貫通部材との間の距離が変化可能な方向において前記第２の貫通部材の直径より大きく、前記共通の貫通部材との間の距離が変化可能な方向と直交し前記第１の基板の面と平行な方向において前記第２の貫通部材の直径と同一の大きさを有することを特徴とする請求項１に記載の携帯端末。
【請求項３】
前記基板は概略長方形であり、
前記第２の貫通部は、前記基板の面と平行でかつ前記基板の長辺に沿った方向における前記共通の貫通部材との間の距離が変化可能に、前記第２の貫通部材が貫通することを特徴とする請求項１に記載の携帯端末。
【請求項４】
前記第１及び第２の基板は、互いの長辺に沿った方向に配置されることを特徴とする請求項１に記載の携帯端末。
【請求項５】
前記筐体の内部に格納される表示モジュールをと、第３の基板とをさらに備え、
前記筐体は、キー領域と、前記表示モジュールの表示を観察する表示領域とが設けられた正面筐体を備え、
前記第１〜第３の基板として、前記筐体の内部の前記キー領域に対応する箇所に取り付けられるキー基板と、前記筐体の内部の前記表示領域に対応する箇所にて表示モジュールが固定される表示モジュール保持基板と、メイン基板とが、前記正面筐体の側から順に配置され、
前記重なり部分では、前記キー基板、前記表示モジュール保持基板、及び前記メイン基板の一部が互いに重なり、
前記重なり部分は、前記正面筐体の側から見て、前記キー領域と前記表示領域との間にあり、
前記メイン基板は、前記正面筐体の側から見て前記表示領域を包含して配置され、
前記表示モジュール保持基板の前記正面筐体と反対側には窪みが設けられることを特徴とする請求項１に記載の携帯端末。
【請求項６】
前記表示モジュール保持基板には、前記メイン基板を系止し、かつ前記メイン基板よりも前記前記正面筐体と反対側に突出した系止爪が設けられることを特徴とする請求項５に記載の携帯端末。
【請求項７】
前記表示モジュール保持基板および前記メイン基板は、前記重なり部分において、前記第１の共通貫通部を備え、前記重なり部分とは反対側にある端部には、前記共通の貫通部材の位置が基板面と平行方向に移動可能に設けられた第３の共通貫通部を備え、
前記キー基板は、前記重なり部分において前記第１の共通貫通部を備え、前記重なり部分とは反対側にある端部に前記第２の貫通部を備えることを特徴とする請求項５に記載の携帯端末。
【発明の詳細な説明】
【技術分野】
【０００１】
本発明は、携帯端末の基板支持構造に関するものである。
【背景技術】
【０００２】
携帯電話やシンボルスキャナ等の携帯端末には、内蔵部品として、各種電子部品や液晶パネル等が内蔵されている。電子部品（集積回路を含む）は基板に固定され、液晶パネルは保持基板に保持されて、それらの基板が携帯端末の筐体に固定される。このような携帯端末において、落下等の原因により筐体に力が加わり、それによって筐体が変形すると、筐体に固定されている基板も変形し、それによって、基板に固定されている電子部品に応力が加わって、電子部品が基板から脱落したり、電子部品が破損したりするなどの障害が生じる。
【０００３】
従来の技術においては、落下等により筐体に荷重が加わった場合にも内蔵部品に故障が生じないように様々な工夫がされた電子機器が提案されている。本発明に関連する従来技術として、以下の特許文献１ないし３がある。
【先行技術文献】
【特許文献】
【０００４】
【特許文献１】特開２００５−２８３８６３号公報
【特許文献２】特開２００５−７９７２８号公報
【特許文献３】国際公開第２００８／０１８２３３号パンフレット
【発明の概要】
【発明が解決しようとする課題】
【０００５】
携帯端末を落下した場合に筐体に加わる負荷による筐体の変形としては、１次のモードの変形が大多数である。本発明は、この点に着目し、１次のモードの筐体の変形が生じた場合の、携帯端末の内蔵部品への影響を軽減できる基板支持構造を有する携帯端末を提供することを目的とする。
【課題を解決するための手段】
【０００６】
上記従来の課題を解決するために、本発明の基板支持構造を有する携帯端末は、基板の少なくとも１辺が前記携帯端末の筐体に対して基板の平面方向に移動可能であるという構成を有している。この構成により、携帯端末が落下するなどして筐体が衝撃を受けて変形したとしても、基板は、その筐体の変形を平面方向の移動によって吸収するので、基板自体の変形が軽減されて、基板に保持されている部品への影響を軽減できる。
【０００７】
また、本発明の基板支持構造を有する携帯端末において、前記基板は、概略長方形であり、長手方向に移動可能であってよい。この構成により、基板において、特に変形し易い長手方向への変形が軽減されるので、当該基板に保持されている部品への影響を有効に軽減できる。
【０００８】
また、本発明の基板支持構造を有する携帯端末において、前記基板は、短辺側で支持部材に支持され、前記短辺の少なくとも１辺において、基板の平面に垂直な方向に固定されるとともに、支持部材に対して摺動することにより、基板の平面方向に移動可能であってよい。この構成により、基板は垂直方向には固定されるので、基板を平面方向に移動可能としつつ筐体に保持させることができる。
【０００９】
また、本発明の基板支持構造を有する携帯端末において、前記支持部材は、前記基板を一方の面及び他方の面から挟み、ネジ締結によって、前記基板を前記一方の面及び他方の面から締め付けてよい。この構成により、基板を平面方向に移動可能としつつ筐体に保持させることができるとともに、ネジ締結の強さを調節することにより、基板の平面方向への移動のしやすさを調節することができる。
【００１０】
また、本発明の基板支持構造を有する携帯端末において、前記基板の対向する２辺が何れも当該辺と垂直な方向に移動可能であってよい。この構成により、基板は、筐体の変形を平面方向の移動によってより好適に吸収できる。
【００１１】
また、本発明の基板支持構造を有する携帯端末において、前記基板の１辺が当該辺と垂直な方向に移動可能であってよい。この構成により、筐体が変形していない状態では基板は常に所定の位置にあり、他の部品との位置関係を確実に保持できるとともに、筐体が変形した際には平面方向の移動によって筐体の変形を吸収できる。
【００１２】
また、本発明の基板支持構造を有する携帯端末において、前記携帯端末は、前記基板の平面方向から見たときに、概略長方形であり、長手方向に分けられた複数の前記基板を含んでよい。この構成により、筐体の長手方向の一方側の変形による長手方向の他方側の基板への影響を軽減でき、筐体の長手方向の他方側の変形による長手方向の一方側の基板への影響を軽減できる。
【発明の効果】
【００１３】
本発明によれば、携帯端末が落下するなどして筐体が衝撃を受けて変形したとしても、基板は、その筐体の変形を平面方向の移動によって吸収するので、基板自体の変形が軽減されて、基板に保持されている部品への影響を軽減できる。
【図面の簡単な説明】
【００１４】
【図１】本発明の実施の形態における携帯端末のＤ−Ｄ断面図
【図２】本発明の実施の形態における携帯端末の正面図
【図３】本発明の実施の形態における携帯端末の背面図
【図４】本発明の実施の形態における携帯端末の分解斜視図
【図５】本発明の実施の形態における携帯端末のＡ−Ａ断面図
【図６】本発明の実施の形態における携帯端末のＢ−Ｂ断面図
【図７】本発明の実施の形態における携帯端末のＣ−Ｃ断面図
【図８】本発明の実施の形態における変形例のボスの斜視図
【発明を実施するための形態】
【００１５】
以下、本発明を実施するための形態について、図面を参照しながら説明する。本願の各図面において、本発明の構成に関係のない部分及び部品は、図示を省略し、又は簡略化して示す。図２及び図３は、本発明の実施の形態における携帯端末の正面図及び背面図である。本明細書では、図２の上下方向を上下と表現し、図２の左右方向を左右と表現し、図２の紙面垂直手前方向を前（面）ないし正面と表現し、図２の紙面垂直奥行き方向を後（面）ないし背面と表現する。
【００１６】
図２及び図３に示すように、携帯端末１００は、概略直方体の形状を有し、正面及び背面は縦長の概略長方形である。携帯端末１００の筐体は、正面筐体１０と背面筐体２０とからなる。正面筐体１０及び背面筐体２０は、内側の面が開放された概略直方体の形状を有している。正面筐体１０には、長方形の正面の各辺に上面、右側面、底面、左側面が略垂直に立設され、背面筐体２０にも、長方形の背面の各辺に上面、右側面、底面、左側面が略垂直に立設されている。正面筐体１０と背面筐体２０とが、内側の開放された面が対向するように合わせられることで、正面筐体１０の上面、右側面、底面、左側面の端部がそれぞれ背面筐体２０の上面、右側面、底面、左側面の端部と合致し、内部に密封された収容空間が形成される。
【００１７】
携帯端末１００の上半部分は、液晶パネルが配された液晶領域１１０である。液晶領域１１０の内部には、液晶モジュールや液晶モジュール保持基板のほか、携帯端末１００のメイン基板が内蔵される。携帯端末１００の下半部分は、キー領域１２０である。キー領域１２０の正面筐体１０には、十字キーやテンキーを含む複数のキーが配されている。キー領域１２０の内部には、各種のキーの押下を検知して信号を発生するキー基板が内蔵されるほか、バッテリーが収容される。また、図３に示すように、携帯端末１００の背面には、四隅にネジ挿入孔２１１ａ、２１１ｂ、２１２ａ、２１２ｂが設けられる。
【００１８】
図４は、本発明の実施の形態における携帯端末１００の分解斜視図である。以下、図４を参照して、本発明の実施の形態における携帯端末１００の基板支持構造を詳細に説明する。
【００１９】
図４を参照すると、正面筐体１０の内側には、背面筐体２０の四隅のネジ挿入孔２１１ａ、２１１ｂ、２１２ａ、２１２ｂにそれぞれ対応するボス１１１ａ、１１１ｂ、１１２ａ、１１２ｂが立設されている。また、正面筐体１０の内側には、さらに、上下方向の中央付近の左右両側にもボス１１３ａ、１１３ｂが立設されている。ボス１１１ａ、１１１ｂ、１１２ａ、１１２ｂ、１１３ａ、１１３ｂは、２段式形状になっており、何れも正面筐体１０の裏面に固定される側の大径円柱部分１１１１ａ、１１１１ｂ、１１２１ａ、１１２１ｂ、１１３１ａ、１１３１ｂと、その上の小径円柱部分１１１２ａ、１１１２ｂ、１１２２ａ、１１２２ｂ、１１３２ａ、１１３２ｂとからなる。
【００２０】
ボス１１１ａ、１１１ｂ、１１２ａ、１１２ｂ、１１３ａ、１１３ｂの大径円柱部分１１１１ａ、１１１１ｂ、１１２１ａ、１１２１ｂ、１１３１ａ、１１３１ｂの上面は、基板の座受け（以下、「中段座受け」という。）となる。また、ボス１１１ａ、１１１ｂ、１１２ａ、１１２ｂ、１１３ａ、１１３ｂには、いずれもネジ孔が形成されている。
【００２１】
キー領域１２０の内部にはキー基板５０が取り付けられる。キー基板５０の上端部には、ボス１１３ａ、１１３ｂにそれぞれ対応するＵ字状の切り欠き５１３ａ、５１３ｂが設けられており、キー基板５０の下辺には、ボス１１２ａ、１１２ｂにそれぞれ対応するＵ字状の切り欠き５１２ａ、５１２ｂが設けられている。切り欠き５１３ａ、５１３ｂ、５１２ａ、５１２ｂの左右方向の幅は、ボス１１３ａ、１１３ｂ、１１２ａ、１１２ｂの小径円柱部分の径と等しい。切り欠き５１３ａ、５１３ｂ、５１２ａ、５１２ｂの上下方向の深さは、ボス１１３ａ、１１３ｂ、１１２ａ、１１２ｂの小径円柱部分の径より僅かに大きい。
【００２２】
切り欠き５１３ａと切り欠き５１２ａとの間の距離は、各々が対応するボス１１３ａの小径円柱部分１１３２ａとボス１１２ａの小径円柱部分１１２２ａとの間の距離よりも短く、切り欠き５１３ｂと切り欠き５１２ｂとの間の距離は、各々が対応するボス１１３ｂの小径円柱部分１１３２ｂとボス１１２ｂの小径円柱部分１１２２ｂとの間の距離よりも短い（図１参照）。
【００２３】
これらの切り欠き５１３ａ、５１３ｂ、５１２ａ、５１２ｂは、それぞれボス１１３ａ、１１３ｂ、１１２ａ、１１２ｂの中段座受けよりも小さく形成されており、キー基板５０が正面筐体１０に取り付けられたときに、切り欠き５１３ａ、５１３ｂ、５１２ａ、５１２ｂの周辺が、それぞれボス１１３ａ、１１３ｂ、１１２ａ、１１２ｂの中段座受けによって支持される。この構成により、キー基板５０は、ボス１１３ａ、１１３ｂ、１１２ａ、１１２ｂの中段座受けに支持された状態で、その長手方向である上下方向に僅かに移動することができる。
【００２４】
なお、切り欠き５１３ａ、５１３ｂ、５１２ａ、５１２ｂとボス１１３ａ、１１３ｂ、１１２ａ、１１２ｂの小径円柱部分１１３２ａ、１１３２ｂ、１１２２ａ、１１２２ｂとの左右方向の幅は同じであり、従って、キー基板５０は、ボス１１３ａ、１１３ｂ、１１２ａ、１１２ｂの中段座受けに支持された状態で、左右方向には移動しない。
【００２５】
液晶領域１１０の内部には、前面側から順に液晶モジュール６０、液晶モジュール保持基板３０、及びメイン基板４０が取り付けられる。液晶モジュール保持基板３０には、液晶モジュール６０が固定される。液晶モジュール６０は、前面側に液晶パネルが設けられ、前面筐体１０に設けられた透明な液晶保護パネル７０を介して正面側から液晶パネルの表示を観察できるように配置される。ここで、液晶モジュール保持基板３０は、回路を搭載していないプラスチックの枠であってもよい。
【００２６】
液晶モジュール保持基板３０の背面側には、上下左右の四辺に背面側に突出した側壁が枠として設けられており、背面側の枠（周辺部分）を除く部分が正面側に窪んでいる。背面側に突出した側壁はメイン基板４０を支持する座受けとなる。なお、液晶モジュール保持基板３０背面側の窪んだ部分は、メイン基板４０の正面側に取り付けられた各種の電子素子を収容するための空間となる。
【００２７】
液晶モジュール保持基板３０の上端部の左右両部分には、それぞれ正面筐体１０のボス１１１ａ、１１１ｂに対応する突出座受け３１１ａ、３１１ｂが設けられている。突出座受け３１１ａ、３１１ｂには、ボス１１１ａ、１１１ｂの上部の小径円柱部分１１１２ａ、１１１２ｂを通すための小径円柱部分貫通孔３１１１ａ、３１１１ｂが設けられている。小径円柱部分貫通孔３１１１ａ、３１１１の直径は、ボス１１１ａ、１１１ｂの小径円柱部分１１１２ａ、１１１２ｂの直径とほぼ一致している。また、液晶モジュール保持基板３０の下端部の中央部分には、正面筐体１０のボス１１３ａ、１１３ｂのネジ孔に螺合するネジ８３ａ、８３ｂを通すためのネジ孔が左右両部分に設けられた座受け３１３が形成されている。
【００２８】
液晶モジュール保持基板３０の左右枠の中央部には、背面側に突出した係止爪３１４ａ、３１４ｂが設けられている。係止爪３１４ａ、３１４ｂは、メイン基板４０を係止して、筐体が変形したときに、メイン基板４０の中央部が背面側に浮き上がってメイン基板４０が背面側に凸になるように撓むことを防止する。
【００２９】
メイン基板４０の前面及び背面には、それぞれ半導体チップ等の電子部品（図示は省略）が取り付けられる。メイン基板４０の下端部の中央部分には、正面筐体１０のボス１１３ａ、１１３ｂのネジ孔に螺合するネジを通すためのネジ孔が左右両部分に設けられた座受け４１３が形成されている。座受け４１３の形状は、液晶モジュール保持基板３０の座受け３１３の形状に対応している。
【００３０】
メイン基板４０の上端部の左右両部分には、Ｕ字状の切り欠き４１１ａ、４１１ｂが形成されている。切り欠き４１１ａ、４１１ｂの左右方向の幅は、ボス１１１ａ、１１１ｂの小径円柱部分１１１２ａ、１１１２ｂの直径及び液晶モジュール保持基板３０の突出座受け３１１ａ、３１１ｂの直径と等しい。切り欠き４１１ａ、４１１ｂの上下方向の深さは、ボス１１１ａ、１１１ｂの小径円柱部分１１１２ａ、１１１２ｂの直径より僅かに大きい。
【００３１】
図１、図５、図６、図７は、それぞれ本発明の実施の形態における携帯端末１００のＤ−Ｄ断面図、Ａ−Ａ断面図、Ｂ−Ｂ断面図、Ｃ−Ｃ断面図である。図１、図５、図６、図７と図４を参照して、上記で説明した各部材が組み合わせてなる携帯端末１００の構造を説明する。
【００３２】
キー基板５０が正面筐体１０のキー領域１２０に取り付けられると、正面筐体１０のボス１１２ａ、１１２ｂの小径円柱部分１１２２ａ、１１２２ｂが、それぞれ切り欠き５１２ａ、５１２ｂにはめ込まれ、正面筐体１０のボス１１３ａ、１１３ｂの小径円柱部分１１３２ａ、１１３２ｂが、それぞれ切り欠き５１３ａ、５１３ｂにはめ込まれる。キー基板５０の切り欠き５１２ａ、５１２ｂの周辺はボス１１２ａ、１１２ｂの中段座受けに支持され、キー基板５０の切り欠き５１３ａ、５１３ｂの周辺はボス１１３ａ、１１３ｂの中段座受けに支持される。
【００３３】
上述のように、切り欠き５１３ａ、５１３ｂ、５１２ａ、５１２ｂの左右方向の幅は、ボス１１３ａ、１１３ｂ、１１２ａ、１１２ｂの小径円柱部分１１３２ａ、１１３２ｂ、１１２２ａ、１１２２ｂの直径と等しく、切り欠き５１３ａ、５１３ｂ、５１２ａ、５１２ｂの上下方向の深さは、ボス１１３ａ、１１３ｂ、１１２ａ、１１２ｂの小径円柱部分１１３２ａ、１１３２ｂ、１１２２ａ、１１２２ｂの直径より僅かに大きいので、この状態でキー基板５０は、左右方向には動かないが、上下方向に僅かに動くことができる。従って、携帯端末１００が落下するなどして衝撃を受けて筐体が変形してボス１１３ａ、１１３ｂとボス１１２ａ、１１２ｂとの間の距離が変化することがあっても、そのような距離変化をキー基板５０がボス１１３ａ、１１３ｂ、１１２ａ、１１２ｂの中段座受けを上下方向に移動することで吸収し、キー基板５０の変形を軽減することができる。
【００３４】
キー基板５０が正面筐体１０に取り付けられた状態で、液晶領域１１０に、液晶モジュール６０を保持した液晶モジュール保持基板３０が、液晶モジュール６０を正面側に向けて取り付けられる。液晶モジュール保持基板３０の突出座受け３１１ａ、３１１ｂの小径円柱部分貫通孔３１１１ａ、３１１１ｂが、ボス１１１ａ、１１１ｂの上部の小径円柱部分１１１２ａ、１１１２ｂにはめ込まれ、突出座受け３１１ａ、３１１ｂの小径円柱部分貫通孔３１１１ａ、３１１１ｂの周りは、ボス１１１ａ、１１１ｂの中段座受けに支持される。上述のように、突出座受け３１１ａ、３１１ｂの小径円柱部分貫通孔３１１１ａ、３１１１ｂの直径はボス１１１ａ、１１１ｂの小径円柱部分１１１２ａ、１１１２ｂの直径と等しいため、液晶モジュール保持基板３０は上下左右方向に移動しない。
【００３５】
このとき、液晶モジュール保持基板３０の下側に設けられた座受け３１３は、キー基板５０の切り欠き５１３ａ、５１３ｂのそれぞれの周辺及び切り欠き５１３ａと切り欠き５１３ｂとの間を上から下に押さえ、座受け３１３に設けられたネジ孔は、ボス１１３ａ、１１３ｂのネジ孔に対応する。図１及び図６に示されるように、ボス１１３ａ、１１３ｂの上端部は、キー基板５０の表面より僅かに低いので、液晶モジュール保持基板３０は、ボス１１３ａ、１１３ｂには支持されず、その下端部でキー基板５０に支持される。
【００３６】
液晶モジュール保持基板３０が取り付けられた状態で、液晶領域１１０に、両面に電子部品を取り付けたメイン基板４０が取り付けられる。メイン基板４０の下端部の座受け４１３のネジ孔にネジ８３ａ、８３ｂが通され、このネジが更に液晶モジュール保持基板３０の座受け３１３に設けられたネジ孔に通されて、ボス１１３ａ、１１３ｂのネジ孔に螺合する。即ち、メイン基板４０の下端部は、正面筐体１０のボス１１３ａ、１１３ｂに対して固定される。
【００３７】
このとき、メイン基板４０の上辺の切り欠き４１１ａ、４１１ｂには、液晶モジュール保持基板３０の突出座受け３１１ａ、３１１ｂの小径円柱部分貫通孔を貫通したボス１１１ａ、１１１ｂの小径円柱部分がはめ込まれる。このとき、メイン基板４０の左右辺の上下方向中央部は、液晶モジュール保持基板３０の背面側に設けられた係止爪３１４ａ、３１４ｂによって係止される。
【００３８】
上述のように切り欠き４１１ａ、４１１ｂの左右方向の幅は、ボス１１１ａ、１１１ｂの小径円柱部分の径及び液晶モジュール保持基板３０の突出座受け３１１ａ、３１１ｂの径と等しく、切り欠き４１１ａ、４１１ｂの上下方向の深さは、ボス１１１ａ、１１１ｂの小径円柱部分の径より僅かに大きいので、携帯端末１００が落下するなどして衝撃を受けて筐体が変形してボス１１１ａ、１１１ｂとボス１１２ａ、１１２ｂとの間の距離が変化することがあっても、そのような距離変化をメイン基板４０がボス１１１ａ、１１１ｂの中段座受けを上下方向に移動することで吸収し、メイン基板４０の変形を軽減することができる。
【００３９】
この状態で、背面筐体２０が正面筐体１０に取り付けられる。背面筐体２０の上端部の内側には、ネジ挿入孔２１１ａ、２１１ｂに対応する位置に小径円柱部分挿入孔２２１ａ、２２１ｂが形成されている。正面筐体１０のボス１１１ａ、１１１ｂの小径円柱部分１１１１ａ、１１１１ｂの先端部は、この小径円柱部分挿入孔２２１ａ、２２１ｂに挿入される。この状態で、背面筐体２０のネジ挿入孔２１１ａ、２１１ｂからネジ８１ａ、８１ｂが通されて、正面筐体１０のボス１１１ａ、１１１ｂのネジ孔に螺合される。これによって、背面筐体２０の小径円柱部分挿入孔２２１ａ、２２１ｂの周辺がメイン基板４０の切り欠き４１１ａ、４１１ｂの周辺を正面方向に押圧し、液晶モジュール保持基板３０及びメイン基板４０の上端部は前後方向にしっかりと固定される。
【００４０】
なお、このとき、正面筐体１０の小径円柱部分１１１２ａ、１１１２ｂの上面は背面筐体２０のネジ挿入孔２１１ａ、２１１ｂの底面までは達しないので、背面筐体２０のネジ挿入孔２１１ａ、２１１ｂの底面と正面筐体１０の小径円柱部分１１１２ａ、１１１２ｂとが干渉することで背面筐体２０と正面筐体１０による液晶モジュール基板３０及びメイン基板４０の上端部の前後方向への締め付けがゆるくなることを防止できる。
【００４１】
また、メイン基板４０の上端部の切り欠き４１１ａ、４１１ｂの周辺は、背面筐体２０のネジ挿入孔２１１ａ、２１１ｂの周辺と液晶モジュール保持基板３０の突出座受け３１１ａ、３１１ｂによって前後方向に挟まれるが、この状態でもメイン基板４０の上端部は、背面筐体２０及び液晶モジュール保持基板３０に対して摺動することで、背面筐体２０、正面筐体１０、及び液晶モジュール保持基板３０に対して上下方向に移動可能である。
【００４２】
一方、背面筐体２０の上端部の内側には、ネジ挿入孔２１２ａ、２１２ｂに対応する位置に基板押圧リブ２２２ａ、２２２ｂが形成されている。基板押圧リブ２２２ａ、２２２ｂは、背面筐体２０が正面筐体１０に取り付けられた状態で、キー基板５０の下端部の切り欠き５１２ａ、５１２ｂの周辺に当接し、ネジ８２ａ、８２ｂが背面筐体２０のネジ挿入孔２１２ａ、２１２ｂを通って正面筐体１０のボス１１２ａ、１１２ｂのネジ孔に螺合されることで、キー基板５０の切り欠き５１２ａ、５１２ｂの周辺を正面筐体１０のボス１１２ａ、１１２ｂの中段座受けに対して押圧する。
【００４３】
なお、このとき、正面筐体１０のボス１１２ａ、１１２ｂの小径円柱部分１１２２ａ、１１２２ｂの上面は背面筐体２０までは達しないので、背面筐体２０と正面筐体１０の小径円柱部分１１２２ａ、１１２２ｂとが干渉することで背面筐体２０の押圧リブ２２２ａ、２２２ｂと正面筐体１０のボス１１２ａの中段座受けとによるキー基板５０の下端部の前後方向への締め付けがゆるくなることを防止できる。
【００４４】
また、キー基板５０の下端部の切り欠き５１２ａ、５１２ｂの周辺は、押圧リブ２２２ａ、２２２ｂと正面筐体１０のボス１１２ａの中段座受けによって前後方向に挟まれるが、この状態でもキー基板５０の下端部は、背面筐体２０及び正面筐体１０に対して摺動することで、上下方向に移動可能である。
【００４５】
以上のように、本実施の形態の携帯端末１００では、キー基板５０は、上端部及び下端部とも背面筐体２０及び正面筐体１０に対して上下方向に移動可能であるとともに、メイン基板４０は、上端部が背面筐体２０及び正面筐体１０に対して上下方向に移動可能であるので、背面筐体２０や正面筐体１０が衝撃を受けて変形したとしても、キー基板５０及びメイン基板４０は上下方向の移動によって背面筐体２０や正面筐体１０の変形を吸収し、キー基板５０及びメイン基板４０の変形が軽減される。
【００４６】
また、本実施の形態の携帯端末では、必要な基板を下側（キー領域１２０）のキー基板５０と上側（液晶領域１１０）のメイン基板４０という２つの基板に分けているので、背面筐体２０や正面筐体１０の上側の変形による下側のキー基板５０への影響を軽減し、背面筐体２０や正面筐体１０の下側の変形による上側のメイン基板４０への影響を軽減できる。
【００４７】
上記で説明したのは、本発明の１つの実施の形態であり、本発明は上記の実施の形態に限定されるものではなく、上記の実施の形態に対して種々の変形が可能である。例えば、上記の実施の形態では、ボス１１１ａ、１１１ｂ、１１２ａ、１１２ｂ、１１３ａ、１１３ｂは、それぞれ、大径円柱部分と小径円柱部分とからなる２段構成であったが、小径円柱部分のみであってよい。図８は、ボス１１１ａ、１１１ｂ、１１２ａ、１１２ｂ、１１３ａ、１１３ｂの変形例を示す斜視図である。変形例のボス１１４は、小径円柱部分のみからなり、その周りに上記の実施の形態の中段座受けの高さと同じ高さの複数の座受け柱１１５が設けられる。このような構成によっても、座受け柱１１５の上端部でキー基板５０や液晶モジュール保持基板３０を受けることができる。さらに、キー基板５０や液晶モジュール保持基板３０を受ける座受けは、小径円柱部分のみからなるボス１１４とは離れた場所にあってもよい。
【００４８】
また、上記の実施の形態では、キー基板５０は、上下の両端において、上下方向に移動可能であったが、メイン基板４０と同様にその一端のみを上下方向に移動可能とし、他端は背面狂態２０や正面筐体１０に対して固定してもよい。また、上記の実施の形態では、メイン基板４０は、上端部のみが上下方向に移動可能であったが、下端部のみを上下方向に移動可能としてもよく、上下の両端を上下方向に移動可能としてよい。
【００４９】
更に、上記の実施の形態では、キー基板５０の上下両端及びメイン基板４０の上端部が上下方向に移動可能とされたが、他の基板が上下方向に移動可能とされてもよい。また、上記の実施の形態は、キー基板５０の上下両端及びメイン基板４０の上端部は、左右方向には移動できず、上下方向のみに移動可能とされたが、左右方向にも移動可能とされてよい。このような構成は、切り欠き５１２ａ、５１２ｂ、５１３ａ、５１３ｂ、４１１ａ、４１１ｂの左右方向の幅をそれぞれボス１１２ａ、１１２ｂ、１１３ａ、１１３ｂ、１１１ａ、１１１ｂの直径よりも僅かに大きくすればよい。
【００５０】
また、本実施の形態の携帯端末１００は、携帯電話、携帯シンボルスキャナ等の、筐体に大きな衝撃が加わる可能性のある機器に応用できる。携帯端末１００の具体的な応用に応じて、筐体内に様々な部品が取り付けられてよい。例えば、携帯シンボルスキャナとして応用される場合には、携帯端末１００の背面側には読取りのためのレーザアッセイが設けられ、それに対応して背面筐体２０には読取窓が設けられる。上記の実施の形態では、背面筐体２０の一部が直接キー基板５０の下端部及びメイン基板４０の上端部を正面側に押圧下が、上記のように、携帯端末１００の具体的な応用に応じて、背面筐体２０が他の部品を介してキー基板５０やメイン基板４０を押圧するようにしてもよい。
【産業上の利用可能性】
【００５１】
以上のように、本発明は、携帯端末が落下するなどして筐体が衝撃を受けて変形したとしても、基板は、その筐体の変形を平面方向の移動によって吸収するので、基板自体の変形が軽減されて、基板に保持されている部品への影響を軽減できるという効果を有し、基板支持構造を有する携帯端末等として有用である。
【符号の説明】
【００５２】
１００  携帯端末
１１０  液晶領域
１２０  キー領域
１０  正面筐体
２０  背面筐体
３０  液晶モジュール保持基板
４０  メイン基板
５０  キー基板
６０  液晶モジュール
７０  液晶保護パネル
１１１ａ、１１１ｂ  ボス
１１１１ａ、１１１１ｂ  大径円柱部分
１１１２ａ、１１１２ｂ  小径円柱部分
１１２ａ、１１２ｂ  ボス
１１２１ａ、１１２１ｂ  大径円柱部分
１１２２ａ、１１２２ｂ  小径円柱部分
１１３ａ、１１３ｂ  ボス
１１３１ａ、１１３１ｂ  大径円柱部分
１１３２ａ、１１３２ｂ  小径円柱部分
２１１ａ、２１１ｂ、２１２ａ、２１２ｂ  ネジ挿入孔
２２１ａ、２２１ｂ  小径円柱部分挿入孔
３３１ａ、３３１ｂ  突出座受け
３１１１ａ、３１１１ｂ  小径円柱部分貫通孔
３１３  座受け
３１４ａ、３１４ｂ  係止爪
４１１ａ、４１１ｂ  切り欠き
４１３  座受け
５１２ａ、５１２ｂ  切り欠き
５１３ａ、５１３ｂ  切り欠き
８１ａ、８１ｂ  ネジ
８２ａ、８２ｂ  ネジ
８３ａ、８３ｂ  ネジ
【図１】
0005810295.tif 000002
【図２】
0005810295.tif 000003
【図３】
0005810295.tif 000004
【図４】
0005810295.tif 000005
【図５】
0005810295.tif 000006
【図６】
0005810295.tif 000007
【図７】
0005810295.tif 000008
【図８】
0005810295.tif 000009